(57)【特許請求の範囲】
【請求項１】
リワインダ（１）であって、二つの伝動架（５０）で環状の編み地（２）を編成する丸編機と連接されて該丸編機と同期回転を形成し、該環状の編み地（２）を、該リワインダ（１）のガイド機構（１０）で平らにした後、伝動機構（３０）で巻取機構（２０）を駆動して巻取軸（２２）に巻き取るリワインダ（１）において、
該リワインダ（１）は編み地非切開形態と編み地切開形態を有し、
該編み地非切開形態において、該ガイド機構（１０）は該環状の編み地（２）を張り開く着脱式の編み地張り架（１１）と、該編み地張り架（１１）の下方に設けられたガイド棒セット（１２）を包含し、該環状の編み地（２）は該ガイド棒セット（１２）の案内を受け該巻取軸（２２）に巻き取られ、
該編み地切開形態において、該リワインダ（１）に該環状の編み地（２）を切り開いて平面編み地（２’）となす切開ユニット（４０）が取り付けられ、且つガイド機構（１０’）に該平面編み地（２’）を張り開く着脱式の曲型架（１３）と、該曲型架（１３）で張り開いた後の平面編み地（２’）をガイドするガイドロール（１４）が設けられ、該曲型架（１３）は、その一端に張開開始端（１３１）を具え、該リワインダ（１）において該張開開始端（１３１）と反対に位置する端に該巻取ガイドロール（１４）が設けられ、該平面編み地（２’）は該巻取機構（２０）により該巻取軸（２２）に巻き取られることを特徴とする、リワインダ。
【請求項２】
請求項１記載のリワインダにおいて、該ガイド機構（１０）は非切開形態の環状の編み地（２）或いは切開形態の平面編み地（２’）を平らにするための押圧ロール（５１）を有し、該押圧ロール（５１）は複数の連接部品（５１２）及び連接棒（５１１）で該伝動架（５０）に設けられることを特徴とする、リワインダ。
【請求項３】
請求項１記載のリワインダにおいて、編み地を平らに展開する展開ロール（２３）と該伝動機構（３０）に駆動される二つの送りロール（２１）を有することを特徴とする、リワインダ。
【請求項４】
請求項３記載のリワインダにおいて、該ガイド棒セット（１２）と該展開ロール（２３）の間に、該環状の編み地（２）を押圧する中間ガイドロール（２４）が設けられたことを特徴とする、リワインダ。
【請求項５】
請求項３記載のリワインダにおいて、該ガイドロール（１４）と該展開ロール（２３）の間に、該平面編み地（２’）を押圧する中間ガイドロール（２４）が設けられたことを特徴とする、リワインダ。
【請求項６】
請求項３記載のリワインダにおいて、該展開ロール（２３）の両端に該環状の編み地（２）或いは平面編み地（２’）の表面を平らにするねじ（２３１）が設けられ、該ねじ（２３１）は反対の回転方向に設けられたことを特徴とする、リワインダ。
【請求項７】
請求項１記載のリワインダにおいて、該編み地張り架（１１）は吊棒（１１１）で該丸編機に設けられて該編み地張り架（１１）が該丸編機と同期回転を形成することを特徴とする、リワインダ。
【発明の詳細な説明】
【技術分野】
【０００１】
本発明は、リワインダに係り、特に丸編機に設置されて丸編機で編成完成した編み地の巻き取りに用いられるリワインダに関する。
【背景技術】
【０００２】
丸編機はニッティング業の基礎設備であって、ダイアル、シリンダに設置された複数の編み針で相同或いは異なった材質の糸線を利用して環状の編み地を編成し、編成された編み地は平らに整えられて、該丸編機の下方に設置されたリワインダに巻き取られる。
【０００３】
一般的に、リワインダには二種類の基本形式があり、その一つは丸編機で織られた環状の編み地を平にした後、二つ折りにして巻取軸に巻き取る、編み地非切開形式のリワインダであり、多種のガイドロールを利用して編み地を平にした後巻取軸に巻き取る。もう一つは編み地切開形式のリワインダであり、切開機で上述の環状の編み地を切開した後、展開し、さらに平らに整えた後に巻取軸に巻き取る。
【０００４】
異なる材質の糸線で織った編み地は異なる特性を有し、例えば、ゴム糸で編成した或いはゴム糸を加えて編成した編み地は、折り畳むと原状に回復しにくい特性を有する。従って、ニッティング業者は編み地非切開形態のリワインダでこのような編み地を巻き取ることはできず、且つ、もし丸編機にもともとこのような非切開形態のリワインダが取り付けられている場合、編み地切開形態のリワインダに取り換えて、折り目の発生を防止しなければならない。しかし、周知のとおり、リワインダは大型機具であり、価格が高いのみならず、重量及び体積の点からも随意に取り換えるには適さず、さらに、このような取り換え作業は業者にとって、大型機具の着脱の必要だけではなく、外したリワインダを置く空間を準備する必要もあって、更に業者のコストに大いに影響する。
【０００５】
現在、既にある関連技術には、例えば、特許文献１があり、それは針織機の編み地の切開と巻取りに適用され、編み地の切開機はリワインダの上に設置されて、該切開機にカッタとモータが設けられ、リワインダは針織機の下方に設けられて、ガイド輪、回転輪、展開輪、及び第一、第二巻取り輪が設けられて、切開機により、針織機の編み地を切開して、リワインダのガイド輪により展開輪へと案内し、次に展開輪で切開された編み地を広げて、回転輪で編み地を引っ張って前進させ、最後に第一巻取輪で巻き取って、編み地を切開して平整に巻き取る目的を達する。編み地を切開する必要がない場合、針織機の編み地は直接ガイド輪でガイドして、展開輪（展開輪を取り除いて）を使用しないで、次に第二巻取輪で巻き取る。こうして一機で編み地非切開形態の巻取りと編み地切開形態の巻取りの二種類の機能を達成する。この技術によると、二つの異なった巻取輪で切開形態の編み地と非切開形態の編み地を巻取ることを特徴としており、その編み地を平らにして案内する構造は同じである。しかし、切開形態の編み地の幅は非切開形態の編み地の幅に２倍であり、倍の空間がなければ編み地を平らに展開して上述の巻取輪に巻き取ることができない。
【０００６】
【特許文献１】台湾実用新案第Ｍ245217号
【０００７】
前記の特許で、切開不要の状況では、編み地の巻取りで折り目を形成する原因を考える必要があり、すなわち、切開不要の状況では、編み地がガイド輪でガイドされて後、直接巻き取られ、編み地を整理する過程がないため、編成された編み地に皺がある場合に、皺ごと巻き取られて、編み地品質に影響が生じるのである。
【０００８】
更に、前記特許には切開された編み地を広げる展開輪が記載され、展開輪は相当に場所をとり、上述の特許で展開輪を取り外す方式で、非切開形態に変換するならば、リワインダの単位占有面積が増大し、工場にリワインダを購入する時、この点を考慮しなくてはならず、また同じ面積の工場において設置できる機器の数が少なくなるため、生産能が低下する。
【発明の開示】
【発明が解決しようとする課題】
【０００９】
本発明の主な目的は、二つの機能を有するリワインダを提供することにある。本発明に係わるリワインダは編み地切開形態及び編み地非切開形態の二種の形態を含み、使用者は丸編機で編成する編み地の材質によって速やかに該二種の形態間で変換できる。該リワインダは丸編機で編成した環状の編み地を案内するガイド機構を有して、そして巻取機構で巻取軸に巻き取る。その中、該ガイド機構は編み地切開形態及び編み地非切開形態の別により、それぞれ曲型架或いは編み地張り架を設置し、さらに該編み地切開形態では環状の編み地を切開して平面編み地を形成する切開ユニットを有する。該二種形態はそれぞれ異なった巻取ガイド経路を経て編み地を該巻取軸に巻取り、該ガイド機構及びガイド経路の変換により、リワインダは編み地切開形態巻取りと編み地非切開形態巻取りの二つの機能を備え、旧式のようにリワインダを取り外して全体のリワインダを変換する必要がない。
【００１０】
本発明のもう一つの目的は、リワインダの必要な空間を減少することにある。本発明に記述されたリワインダは異なったガイド機構に変換することで、編み地切開形態及び編み地非切開形態間での変換を達成し、従って、使用しないガイド機構を取り除いて収納できて余計な作業空間を占有しない。
【００１１】
また本発明の別の目的は、編み地を平に広げて巻取軸に巻き取れるようにすることにある。編み地切開形態と編み地非切開形態の二種の形態において、異なったガイド機構及びガイド経路により、編み地を平らに整えて巻取軸に巻き取る。
【課題を解決するための手段】
【００１２】
請求項１の発明は、リワインダ（１）であって、二つの伝動架（５０）で環状の編み地（２）を編成する丸編機と連接されて該丸編機と同期回転を形成し、該環状の編み地（２）を、該リワインダ（１）のガイド機構（１０）で平らにした後、伝動機構（３０）で巻取機構（２０）を駆動して巻取軸（２２）に巻き取るリワインダ（１）において、
該リワインダ（１）は編み地非切開形態と編み地切開形態を有し、
該編み地非切開形態において、該ガイド機構（１０）は該環状の編み地（２）を張り開く着脱式の編み地張り架（１１）と、該編み地張り架（１１）の下方に設けられたガイド棒セット（１２）を包含し、該環状の編み地（２）は該ガイド棒セット（１２）の案内を受け該巻取軸（２２）に巻き取られ、
該編み地切開形態において、該リワインダ（１）に該環状の編み地（２）を切り開いて平面編み地（２’）となす切開ユニット（４０）が取り付けられ、且つガイド機構（１０’）に該平面編み地（２’）を張り開く着脱式の曲型架（１３）と、該曲型架（１３）で張り開いた後の平面編み地（２’）をガイドするガイドロール（１４）が設けられ、該曲型架（１３）は、その一端に張開開始端（１３１）を具え、該リワインダ（１）において該張開開始端（１３１）と反対に位置する端に該巻取ガイドロール（１４）が設けられ、該平面編み地（２’）は該巻取機構（２０）により該巻取軸（２２）に巻き取られることを特徴とする、リワインダとしている。
請求項２の発明は、請求項１記載のリワインダにおいて、該ガイド機構（１０）は非切開形態の環状の編み地（２）或いは切開形態の平面編み地（２’）を平らにするための押圧ロール（５１）を有し、該押圧ロール（５１）は複数の連接部品（５１２）及び連接棒（５１１）で該伝動架（５０）に設けられることを特徴とする、リワインダとしている。
請求項３の発明は、請求項１記載のリワインダにおいて、編み地を平らに展開する展開ロール（２３）と該伝動機構（３０）に駆動される二つの送りロール（２１）を有することを特徴とする、リワインダとしている。
請求項４の発明は、請求項３記載のリワインダにおいて、該ガイド棒セット（１２）と該展開ロール（２３）の間に、該環状の編み地（２）を押圧する中間ガイドロール（２４）が設けられたことを特徴とする、リワインダとしている。
請求項５の発明は、請求項３記載のリワインダにおいて、該ガイドロール（１４）と該展開ロール（２３）の間に、該平面編み地（２’）を押圧する中間ガイドロール（２４）が設けられたことを特徴とする、リワインダとしている。
請求項６の発明は、請求項３記載のリワインダにおいて、該展開ロール（２３）の両端に該環状の編み地（２）或いは平面編み地（２’）の表面を平らにするねじ（２３１）が設けられ、該ねじ（２３１）は反対の回転方向に設けられたことを特徴とする、リワインダとしている。
請求項７の発明は、請求項１記載のリワインダにおいて、該編み地張り架（１１）は吊棒（１１１）で該丸編機に設けられて該編み地張り架（１１）が該丸編機と同期回転を形成することを特徴とする、リワインダとしている。
【発明の効果】
【００１３】
本発明のリワインダは、ガイド機構を変換することで、使用者が簡単に編み地切開形態と編み地非切開形態間で変換できるリワインダであって、必要でないガイド機構を取り外して、編み地を平に広げて巻取軸に巻き取り、必要でないガイド機構が場所をとるために生産機能に影響するのを回避できる。
【発明を実施するための最良の形態】
【００１４】
図１乃至図４を参照されたい。それは本発明による編み地非切開形態及び編み地切開形態のリワインダの外観立体を示す図及び巻取りガイド経路を示す図であり、本発明はリワインダ１が設置された丸編機であり、該リワインダ１は伝動架５０で該丸編機に連接され（図面に示せず）、しかも該伝動架５０により回転力を伝えて、リワインダ１を丸編機のダイヤル、シリンダ（図面に示せず）と同期回転させ、該丸編機で編成した環状の編み地２を巻取る。該リワインダ１に設けられた伝動機構３０により巻取機構２０が駆動され、該環状の編み地２は該リワインダ１のガイド機構１０でガイドされ、しかも該巻取機構２０で平らに整えられて巻取軸２２に巻き取られる。本発明はガイド機構１０とガイド機構１０’間の変換を利用し、それぞれの異なる巻取りガイド経路による編み地非切開形態或いは編み地切開形態の巻取りを形成する。該編み地切開形態では切開ユニット４０を設ける必要があってそれにより、該環状の編み地２を切開する。
【００１５】
本発明による前記のリワインダ１は前記のガイド機構１０を変えることによって、編み地切開形態と編み地非切開形態のいずれかを形成する。その編み地非切開形態は、図１及び図２を参照されたい。該編み地非切開形態のガイド機構１０は、取り外し自在の編み地張り架１１を含み、該編み地張り架１１は吊棒１１１で該丸編機に設けられて取り外し自在とされる。丸編機のダイヤル、シリンダが不断に回転して環状の編み地２を編成する状況で、該環状の編み地２は該編み地張り架１１に嵌合され、該編み地張り架１１により張り拡げられて編み地表面の皺や折り目の形成が防止される。しかも該編み地張り架１１、リワインダ１及び丸編機は同期回転するため、丸編機のダイヤル、シリンダの回転によって環状の編み地２が捩じれて皺や折り目が形成されるのを防ぐ。該ガイド機構１０は、張力を提供して編み地張り架１１が環状の編み地２を平らにするのを補助する二つの押圧ロール５１を含み、該編み地押圧ロール５１は連接棒５１１及び連接部品５１２で該伝動架５０に設けられ、これにより該編み地押圧ロール５１は編み地の状況によってその位置を変更でき、良好な平坦化の効果を提供する。
【００１６】
リワインダ１は編み地非切開形態の場合、編み地張り架１１の下方にガイド機構１０のガイド棒セット１２が設けられて、該編み地張り架１１で張った環状の編み地２を折り畳み、伝動機構３０で巻取機構２０の送りロール２１を駆動し、該折り畳み後の環状の編み地２を巻取機構２０の展開ロール２３に案内し、且つガイド棒セット１２と展開ロール２３の間に設けられた中間ガイドロール２４で該環状の編み地２を押さえ、張力を提供して平らに押さえた環状の編み地２に緊張状態を保持させて折り目の発生を防止する。本発明のリワインダ１は上述の経路が編み地非切開形態の第１巻取経路とされ、その後、展開ロール２３及びその両端に設けられた反対方向のねじ２３１で、折り畳み後の環状の編み地２表面の皺を、該環状の編み地２の両外端へ押す出し、それにより、完全に平らにした該環状の編み地２を巻取軸２２に巻き取る。
【００１７】
本発明によるリワインダ１の編み地切開形態について、図３及び図４を参照されたい。該編み地切開形態におけるガイド機構１０’は取り外し自在の曲型架１３を含み、該曲型架１３は該リワインダ１に取り付けられて取り外し自在であり、ゆえに丸編機のダイヤル、シリンダが絶えず回転して環状の編み地２を編成する時、該伝動架５０でリワインダ１が駆動されると曲型架１３は同期回転する。該リワインダ１の後端に切開ユニット４０が設けられて、丸編機で編成した環状の編み地２を切開して平面編み地２’を形成した後、該曲型架１３の張開開始端１３１より該曲型架１３に嵌合され、該曲型架１３で平面編み地２’が張り開かれて編み地表面の皺形成が回避され、二つの編み地押圧ロール５１は適当な位置に移動して張力を提供して、曲型架１３が平面編み地２’を平らに押圧するのを補助し、編み地を平らに整える効果を提供し、巻取りに供する。
【００１８】
リワインダ１は編み地切開形態の場合、曲型架１３の下方にガイド機構１０’のガイドロール１４が設けられ、該ガイドロール１４は該曲型架１３の張開開始端１３１と反対の一端に設けられる。その目的は、以下のとおりである。切開し展開した平面編み地２’の幅は大きくて環状を平面に変換する必要があり、変換中に曲型架１３で開くことができるものの、漸次展開して平面とするための空間も必要である。別の空間も必要でだんだん平面に広げる。そうしないと急に形状を変換することで、編み地に皺や折り目がつきやすくなる。このため、ガイドロール１４は該張開開始端１３１と反対の端に設けることで、平面編み地２’にその形状を平坦とするための充分な空間を提供する。該曲型架１３で張り開いた平面編み地２’は折り畳まれて、伝動機構３０で巻取機構２０の送りロール２１を駆動し、平面編み地２’を巻取機構２０の展開ロール２３に送り、且つガイドロール１４と展開ロール２３の間に中間ガイドロール２４が設けられて該平面編み地２’を押さえ、張力を提供して平らに押された平面編み地２’に緊張状態を保持させて折り目が発生しないようにする。本発明のリワインダ１は上述の経路が編み地切開形態の第２巻取経路とされ、その後は編み地非切開形態の巻取機構２０と同様に、展開ロール２３が設けられ、該展開ロール２３の両端には反対方向のねじ２３１が設けられて、折り畳み後の平面編み地２’表面の皺が該平面編み地２’の両外端に押し出され、これにより完全に平らな平面編み地２’が得られ、巻取軸２２に巻き取られる。
【００１９】
総合すると、本発明の重点は、着脱自在のガイド機構１０とガイド機構１０’間の交換により、編み地切開形態と編み地非切開形態のリワインダを形成し、且つ丸編機で編成した環状の編み地２の種類により、ガイド機構１０とガイド機構１０’のいずれかを選択使用する。その編み地巻取経路は異なり、すなわち、折り目があってもよく、編み地切開不要の編み地の場合、本発明のリワインダ１は編み地非切開形態で対応し、該丸編機により編成した環状の編み地２は張り開かれた後に折り畳まれ巻き取られる。折り目があってはならず或いは切開が必要な編み地の場合、本発明のリワインダ１は編み地切開形態で対応し、本発明の編み地非切開形態と編み地切開形態の間の変換は、該編み地張り架１１を取り外して曲型架１３及び切開ユニット４０を取り付けるだけでよく、これにより該丸編機の編成した環状の編み地２が第２巻取経路により、切開ユニット４０で切開されて平面編み地２’とされてから該曲型架１３に嵌合されて張り開かれ、並びにガイドロール１４で平坦な平面編み地２’が形成される。上述の二つの形態は、そのいずれであっても、伝動機構３０で巻取機構２０の送りロール２１を駆動し、環状の編み地２或いは平面編み地２’を、上述の展開ロール２３で平らに伸ばし、さらに巻取軸２２で巻き取る。
【図面の簡単な説明】
【００２０】
【図１】本発明にかかる編み地非切開形態のリワインダによる外観立体を示す図である。
【図２】本発明にかかる編み地非切開形態のリワインダによる巻取第１経路を示す図である。
【図３】本発明にかかる編み地切開形態のリワインダによる外観立体を示す図である。
【図４】本発明にかかる編み地切開形態のリワインダによる巻取第２経路を示す図である。
【符号の説明】
【００２１】
１      リワインダ
５０    伝動架
２      環状の編み地
３０    伝動機構
２０    巻取機構
１０    ガイド機構
２２    巻取軸
１０’  ガイド機構
４０    切開ユニット
１１    編み地張り架
１１１  吊棒
５１    押圧ロール
５１１  連接棒
５１２  連接部品
１２    ガイド棒セット
２１    送りロール
２３    展開ロール
２４    中間ガイドロール
２３１  ねじ
１３    曲型架
２’    平面編み地
１３１  張開開始端
１４    ガイドロール
【図１】
0004562193.tif 000002
【図２】
0004562193.tif 000003
【図３】
0004562193.tif 000004
【図４】
0004562193.tif 000005